(57)【要約】【課題】排尿等によって生じた変色を初めとする視覚的変化が外部から認識され易い吸収性物品を提供すること。【解決手段】吸収性コア４１と、吸収性コア４１の着用者肌対向面側と反対側に液不透過性の裏面シート３とを備え、股下部Ｂ並びに股下部Ｂから前後に延びる腹側部Ｃ及び背側部Ａをそれぞれ有する吸収性物品である。吸収性物品１は、水分と接触しても視覚的に変化しない線状の不変模様１２を複数有しており、吸収性コア４１と裏面シート３との間の所定部位に、水分と接触すると視覚的に変化する親水性の剤を含む線状の可変模様１０を複数有している。股下部Ｂにおいては、可変模様１０と不変模様１２とが交差して配されている。【選択図】    図１
2005021389.tif 000002
【特許請求の範囲】
【請求項１】
吸収性コアと、該吸収性コアの着用者肌対向面側と反対側に液不透過性の裏面シートとを備え、股下部並びに該股下部から前後に延びる腹側部及び背側部をそれぞれ有する吸収性物品であって、
前記吸収性物品は、水分と接触しても視覚的に変化しない線状の不変模様を複数有しており、前記吸収性コアと前記裏面シートとの間の所定部位に水分と接触すると視覚的に変化する親水性の剤を含む線状の可変模様を複数有しており、
前記吸収性物品の前記股下部においては、前記可変模様と前記不変模様とが交差して配されている吸収性物品。
【請求項２】
前記親水性の剤の視覚的変化が変色であって、前記可変模様と前記不変模様とは、視覚的に変化する前では同じ色か類似色であり、視覚的に変化した後には非類似の色である請求項１記載の吸収性物品。
【請求項３】
前記親水性の剤の視覚的変化が変色であって、前記可変模様と前記不変模様とは、視覚的に変化する前は類似性のない色であり、視覚的に変化した後では同じ色か類似色である請求項１記載の吸収性物品。
【請求項４】
前記吸収性コアが被覆材で被覆されており、前記親水性の剤が、水分と接触する前には前記被覆材と前記裏面シートとの接着剤として機能する成分を含んでいる請求項１〜３の何れかに記載の吸収性物品。
【請求項５】
前記親水性の剤が前記腹側部から前記背側部にわたり長手方向に沿って存在している請求項１〜４の何れかに記載の吸収性物品。
【発明の詳細な説明】
【０００１】
【発明の属する技術分野】
本発明は、排尿等の前後での視覚的な変化が観者に分かり易く、取り替え時期を確実に知らせる機能を有する吸収性物品に関する。
【０００２】
【従来の技術及び発明が解決しようとする課題】
これまで、排尿等によって濡れた場合に取り替え時期を知らせる機能を有する使い捨ておむつが種々提案されている。例えば、吸収性コアにおける着用者当接面と反対側の面に、尿が到達すると変色するｐＨ指示薬を含むおむつが知られている（特許文献１〜３参照）。また、水に濡れると変色する剤を含むおむつ等も知られている（特許文献４参照）。
【０００３】
しかし、いずれの技術においても、変色の程度が外部から明確に認識し難いという問題がある。この理由は、変色する剤は親水性であるので、尿を感知したときには剤が尿に溶解してにじみが生じ、色がぼやけてしまうからである。しかも、尿を感知するには吸収性コアとなるべく近い位置に変色する剤を配することが好ましいため、吸収性コアに該剤が吸収・拡散されると、外部から色が一層認識されにくくなる。また、通常おむつには種々の絵柄等が配されていることから、変色部分はおむつ全体の外観を損ねないように小さく配されることが多く、そのような場合に前記のような現象が生じると、外部から変色が一層認識されにくくなる。
【０００４】
【特許文献１】
特開昭５５−３６３２６号公報
【特許文献２】
特開昭５６−４３４０２号公報
【特許文献３】
特開平１１−４８５２号公報
【特許文献４】
特開昭５８−１７４６０１号公報
【０００５】
従って本発明の目的は、排尿等によって生じた変色を初めとする視覚的な変化が外部から認識され易い吸収性物品を提供することにある。
【０００６】
【課題を解決するための手段】
本発明は、吸収性コアと、該吸収性コアの着用者肌対向面側と反対側に液不透過性の裏面シートとを備え、股下部並びに該股下部から前後に延びる腹側部及び背側部をそれぞれ有する吸収性物品であって、前記吸収性物品は、水分と接触しても視覚的に変化しない線状の不変模様を複数有しており、前記吸収性コアと前記裏面シートとの間の所定部位に水分と接触すると視覚的に変化する親水性の剤を含む線状の可変模様を複数有しており、前記吸収性物品の前記股下部においては、前記可変模様と前記不変模様とが交差して配されている吸収性物品を提供することにより、前記目的を達成したものである。
【０００７】
【発明の実施の形態】
以下、本発明をその好ましい実施形態に基づき図面を参照しながら説明する。図１には本発明の一実施形態としての使い捨ておむつ（以下、単におむつともいう。）を裏面シート側からみた一部破断平面図が示されている。
【０００８】
おむつ１は、液透過性の表面シート２、液不透過性の裏面シート３及びこれら両シート２，３間に介在される吸収体４を備え、実質的に縦長に形成されている。
【０００９】
おむつ１は、股下部Ｂ並びに股下部Ｂから前後に延びる腹側部Ｃ及び背側部Ａを有している。背側部Ａは、おむつ使用時に着用者の背中側に位置する部位である。腹側部Ｃは、おむつ使用時に着用者の腹側に位置する部位である。
【００１０】
裏面シート３の外側（吸収体側とは反対側）の面には、不織布からなる外装カバーシート７が配されている。外装カバーシート７はおむつ１の外縁をなしている。
【００１１】
背側部Ａの左右両側縁にはファスニングテープ８，８が取り付けられている。腹側部Ｃの外装カバーシート７にはランディングテープ９が取り付けられている。ファスニングテープ８は、おむつの着用時にランディングテープ９に止着される。
【００１２】
吸収体４は、吸収性コア４１の周囲が、親水性のティッシュペーパー等の薄手の紙（薄葉紙）からなる被覆材４２によって覆われて構成されている。被覆材４２は、吸収性コア４１の表面シート２側の面を覆う第１の被覆材４２ａと、吸収性コア４１の裏面シート３側の面を覆い且つ表面シート２側の側縁まで巻き上げられている第２の被覆材４２ｂとからなっている。被覆材４２は、吸収性コア４１の保形性を維持する目的で用いられている。吸収体４は、表面シート２及び裏面シート３によって挟持・固定されている。
【００１３】
おむつ１は、吸収体４の前後端縁から前後方向に延出するウエスト部５，５及び左右側縁から横方向に延出するレッグ部６，６を有している。ウエスト部５，５及びレッグ部６，６には、おむつ着用者に各部を着用者にフィットさせるためのウエスト部弾性部材５１及びレッグ部弾性部材６１がそれぞれ配されている。
【００１４】
また、おむつ１の表面シート２側における長手方向左右両側には、それぞれ立体ガード１１が形成されている。立体ガード１１の自由端には立体ガード弾性部材１１１が配されて、ギャザーが形成されている。
【００１５】
上述のおむつ１を構成する各部材には、当該技術分野において従来公知のものを用いることができる。例えば表面シート２としては親水性の不織布や開孔フィルムなどが挙げられる。裏面シート３としては液不透過性のフィルムなどが挙げられる。吸収性コア４１としては親水性繊維としてのフラッフパルプと、高吸収性ポリマーの粒子との積繊体が挙げられる。ウェスト弾性部材５１、レッグ部弾性部材６１及び立体ガード弾性部材１１１としては各種エラストマー材料が挙げられる。前記立体ガード１１としては不織布が挙げられる。
【００１６】
而して本実施形態の使い捨ておむつ１は、図１及び図２に示すように、裏面シート３と第２の被覆材４２ｂとの間に、水分と接触すると視覚的に変化する親水性の剤（以下、変化剤という）を含む線状の可変模様１０を有している。本実施形態においては、裏面シート３側に配されている第２の被覆材４２ｂの表面上に接するように前記変化剤を配し、該変化剤が裏面シート３に臨むようになっている。より具体的には、後述する方法で粘着成分にｐＨ指示薬（例えばブロモフェノールブルー）等を混合したホットメルト組成物からなる変化剤を、裏面シート３の吸収体対向面に塗工し、該吸収体対向面上に、吸収性コア４１が被覆材４２ａ，４２ｂに覆われてなる吸収体４を載置している。本発明において「視覚的に変化する」とは、水分との接触の前後で色が変化する場合、水分との接触で色が消失する場合、水分との接触で色が現れる場合及びこれらの場合を二以上組み合わせた場合を含む概念である。本実施形態の変化剤は、水分との接触の前後で色が変化する場合に該当する。
【００１７】
本実施形態のおむつ１においては、図１に示すように、可変模様１０は、おむつ幅方向の中央部分において、おむつの背側部Ａ、股下部Ｂ及び腹側部Ｃにわたって線状に配されている。より具体的には、３本の細長い直線がおむつ幅方向に所定間隔をおいて並列するように配されている。この構成によって、股下部Ｂでの可変模様１０の視覚的な変化を、視覚的な変化の比較的起こりにくい背側部Ａや腹側部Ｃとの比較によって明確に認識できるようにしている。しかも、可変模様１０を細幅線状の形態にしておむつ幅方向に複数本（本実施形態では３本）並列させているので、視覚的な変化が一層認識され易い。
【００１８】
本実施形態のおむつ１では、裏面シート３の外装カバーシート側の面に水分と接触しても視覚的に変化しない線状の不変模様１２がおむつ幅方向にわたって複数本施されており、可変模様１０の複数本の線といずれとも交差している。本実施形態のおむつでは、可変模様１０、不変模様１２ともに直線状であるので、股下部Ｂにおいては両者の交差によって格子模様が形成されている。
【００１９】
次に、本発明の吸収性物品における視覚的な変化の視認性が高まるメカニズムを、おむつ１に基づいて説明する。なお、以下では、不変模様は青緑色であり、可変模様は変化剤としてブロモフェノールブルーを含み、尿の吸収の前後で黄色から青緑色に変色するものとして説明する。
【００２０】
おむつ１は、排尿前には、不変模様１２は青緑色で、可変模様１０は黄色である。このため、両者は異なった色として観者（おむつ着用者が幼児の場合には、両親等）に認識される。しかし、排尿後に尿が可変模様まで到達すると、可変模様１０に含まれる変化剤が青緑色に変化する。このため、観者は第一次的に不変模様１２と可変模様１０の線の色とが類似したものになることにより違和感を覚えることとなる。次いで第二次的に、不変模様１２の色と可変模様１０の色とが同じことになったことに気付き、おむつ１の取り替え時期が来たことを知る。
【００２１】
このとき重要なのは、股下部Ｂにおいて可変模様１０と不変模様１２とが互いに交差していることである。つまり、おむつ１の股下部Ｂにおいては、両模様が交差して格子状になっているので、重なった部分では色の変化は分かり難いが、重なっていない部分では色の変化が認識できる。そして、互いに交差した模様は観者に込み入った図柄という印象を与えるので、交差する模様の一方の色が変化することによって観者に視覚的な変化を認識させるので、おむつ１の取り替え時期を逃してしまうおそれが低くなる。
【００２２】
可変模様１０と不変模様１２との交差角度（線の交差角度）に特に制限はないが、製造のし易さを考慮すると５〜９０°程度が好ましく、特に視覚的変化を認識し易くする点からは３０〜９０°が好ましい。
【００２３】
可変模様１０と不変模様１２の線の太さは１〜５ｍｍ、特に１〜３ｍｍが好ましい。この範囲であれば、不変模様１２の視覚的な変化が観者に認識され易い。また、不変模様と可変模様の線の本数は複数本づつあればよいが、可変模様の変化を観者が素早く認識できるためには可変模様が２〜１０本、不変模様が２〜２０本あることが好ましい。
【００２４】
不変模様１２の線の間隔は３〜３０ｍｍ、特に５〜２５ｍｍが好ましい。この範囲であると、可変模様の変化が観者に認識され易い。また、同様の理由から、可変模様の線の間隔は２〜３０ｍｍ、特に３〜２５ｍｍが好ましい。
【００２５】
本実施形態のおむつ１においては、可変模様１０と平行な方向に、視覚的に変化する前の可変模様１０と同じ色の不変模様１２が配されている。こうすると、可変模様１０が変色したことがより分かり易くなり好ましい。
【００２６】
可変模様１０と不変模様１２の色は、（１）可変模様が視覚的に変化する前において同じか類似色であり、変化後には類似性のない色になるか、色が消失すること、または（２）可変模様が視覚的に変化する前は類似性のない色であり、変化した後において同じか類似色であること、のいずれかの場合が好ましい。
【００２７】
（１）の場合には、視覚的に変化する前では格子模様が一つの色系で構成されているが、視覚的変化によってバランスが崩れて観者には大きな違和感を与える。このとき、視覚的変化によって色が消失すると、格子模様が消失する（本実施形態では、可変模様と平行に配された不変模様１２があるので、格子模様の縦線間隔が広がる）こととなる。
【００２８】
一方（２）の場合には、視覚的に変化する前では格子模様が二つの色系で構成されているが、視覚的に変化すると一つの色系で格子模様が形成されるので観者には違和感を与える。
【００２９】
可変模様１０と不変模様１２の色の類似性については、通常の注意力を有する観者が見て類似していると認識し得る程度であればよい。認識性をより高くするためには、オスワルド（Ｏｓｔｗａｌｄ）色相環によって分類された２４色の色票で、同じ色票であるか色相番号が１つだけずれた範囲のものであることが好ましい。
【００３０】
次に、本発明において可変模様に含まれる変化剤について説明する。変化剤は水分と接触することによって視覚的に変化する物質（以下、変色物質という）を含む親水性の組成物である。変色物質としてはｐＨ指示薬等が挙げられる。例えば公知のインク又は指示薬を使用することができる。本実施形態のように吸収性物品が使い捨ておむつの場合には、ｐＨ指示薬には、尿との接触の前後で色が変化するものを用いることが好ましい。例えばブロモフェノールブルー、メチルオレンジ、アリザンＳ、ブロモクレゾールグリーン、メチルレッド、ブロモクレゾールパープル、レザズリン等のｐＨが３〜７で変色するものが好ましい。
【００３１】
前記変化剤は、水分と接触するまでは、裏面シート３及び／又は第２の被覆材４２ｂの表面に安定して固定化されている必要がある。そのような固定化を実現する方法としては、変化剤を、変色物質と粘着性物質とを混合した親水性の組成物として裏面シート３又は第２の被覆材４２ｂの表面に塗布する方法が簡便かつ確実である。粘着性物質としては、変色物質との相溶性の点から親水性を有するものが好ましい。そのような物質としては例えば、水分と接触する前には第２の被覆材４２ｂと裏面シート３との接着剤として機能する親水性のポリマーが挙げられる。該親水性のポリマーとしては例えば、ポリエチレングリコール（ＰＥＧ）、ポリプロピレングリコール（ＰＰＧ）、ポリビニルアルコール（ＰＶＡ）、ポリアミド、ビニルピロリドンホモポリマー等が挙げられる。これら親水性のポリマーはその数平均分子量が、１０００〜５００００、特に２０００〜２００００であることが、確実な固定化を与える点から好ましい。
【００３２】
不変模様１２は、水分と接触しても視覚的に変化しないものである。具体的には、水分と接触しても色が変化しないか、色が消失しないものである。このような模様は、水不溶性のインクによって施されたものであることが好ましい。このようなインクとしては例えば、ニトロセルロース系インク、ポリアミド系インク、アクリル系インク、染料型インク等が挙げられる。
【００３３】
本実施形態では、不変模様１２を裏面シート３における外装カバーシート７との対向面に配しているので、外装カバーシート７を通しても不変模様１２をくっきりと見ることができる。不変模様１２は、裏面シート３における第２の被覆材４２ｂとの対向面に配してもよいし、裏面シート３の両面に配してもよい。
【００３４】
本実施形態のように、可変模様１１の視覚的な変化が変化剤の変色によるものである場合には、可変模様１１が視覚的に変化する前における、裏面シート３のおむつ外面側から測定した明度Ｌ＊は、１５〜８０、特に２０〜７０であることが好ましく、視覚的に変化した後の明度Ｌ＊が２０〜８０、特に３０〜８０であることが好ましい。また、裏面シート３のおむつ外面側から測定した不変模様１２の明度Ｌ＊は、３０〜９０、特に３５〜９０、とりわけ４０〜９０であることが、裏面シート３又は外装カバーシート７越しにみた不変模様１２が鮮明となることから好ましい。
【００３５】
可変模様１０が視覚的に変化する前の色と不変模様１２の色とが類似色でない場合には、可変模様１０が視覚的に変化する前の明度Ｌ＊は、不変模様１２の明度Ｌ＊よりも１〜１５小さいことが好ましい。逆に可変模様１０が視覚的に変化した後の色と不変模様１２の色とが類似色でない場合には、可変模様１０が視覚的に変化した後の明度Ｌ＊が、不変模様１２の明度Ｌ＊よりも１〜１５小さいことが好ましい。そして何れの場合においても、可変模様１０が視覚的に変化した後の明度Ｌ＊と、変化前の明度Ｌ＊との差が−１０〜５程度であることが好ましい。変化前後における可変模様１０の明度の差をこのような範囲とすることによって、排尿前では可変模様１０の線は観者に認識されるものの、不変模様１２に対しては相対的に目立たないのでおむつ１の意匠性の向上に有利である。
【００３６】
一方、排尿後に可変模様１０が不変模様１２と類似した色となる場合には、観者に一見不変模様１２の面積が広がったように認識させるので違和感を与え、逆に不変模様１２と異なった色になる場合にはあたかも線が浮き出てきたかのような印象を観者に与える。したがって、観者がおむつの取り替えの時期を確実に知る上で有利である。
【００３７】
本実施形態のおむつ１において、視覚的な変化の認識性を一層高めるためには、被覆材４２ａ，４２ｂは親水性であることが好ましい。また被覆材１枚当たりの坪量が５〜３０ｇ／ｍ２であることが好ましい。特に、第２の被覆材４２ｂへの変化剤の定着を確実なものとし、吸収性コア４１へ変化剤が移行しないようにするため、及び尿の裏面シート３への到達速度を適当なものとするためには、被覆材１枚当たりの坪量は５〜３０ｇ／ｍ２、特に１０〜２０ｇ／ｍ２であることが一層好ましい。本実施形態においては、第１の被覆材４２ａと第２の被覆材４２ｂとは同種の薄葉紙からなるので、両被覆材４２ａ，４２ｂは同じ坪量であり、同じ厚みを有している。
【００３８】
可変模様１０の視覚的変化がおむつの外部からはっきりと認識できるようにするために、被覆材４２ａ，４２ｂは透明度が低く且つ白色度の高いものであることが好ましい。透明度は２０％以下であることが好ましい。白色度は、Ｌ＊ａ＊ｂ＊表色系（ＣＩＥ１９７６）の色座標指数のｂ＊値を３〜マイナス値、好ましくは１〜−５、特に０〜−５とすることが好ましい。このような透明度及び白色度を有する被覆材４２は、例えば、漂白処理したパルプを使用したり、被覆材にフィラーを含有させること等によって得られる。なお、吸収性コア４１としても白色度が高いものが好ましい。
【００３９】
前記Ｌ＊値、ｂ＊値は、色差計によって測定される。本発明においては、日本電色工業（株）のハンディ型分光色差計ＮＦ７７７（商品名）を用い、照明条件Ｃ、視野角条件２°、正面受光条件＝０／４５°、光束径φ１０ｍｍの測定条件で、測定サンプルの裏側に被覆材を５ｍｍ以上の厚さとなるように複数枚重ねた状態で反射光を測定して求められる。
【００４０】
可変模様１０は、裏面シート３を通しておむつ外部から認識される。従って裏面シート３としては、視認性を良くするため透明度が高いものを用いることが好ましい。しかし余りに透明度が高いと、おむつ外部から排泄物が透けて見えてしまう場合がある。このような見地から、裏面シート３の光透過率は３０〜８０％、特に３５〜８０％であることが好ましい。
【００４１】
裏面シート３の光透過率は以下のようにして測定される。
＜光透過率の測定方法＞
（株）村上色彩研究所製、商品名「ＨＲ−１００」で、測定光源Ａ光源を使用して全光透過率Ｔｔの値を測定する。裏面シート上の任意の１０点を測定し、その平均値をもって光透過率の値とする。
【００４２】
前記の光透過率を有することに加えて裏面シート３は液不透過性でかつ透湿性を有するものであることが好ましい。裏面シート３の透湿度は、ＪＩＳ  Ｚ０２０８に準じ、３２℃で１時間保存後の試料についての値で、０．５〜４．０ｇ／（１００ｃｍ２・ｈｒ）であることが、おむつ内部の適度な湿度調整によって快適な履き心地が得られる点、及び体液の漏れを防止する点から好ましい。
【００４３】
このような液不透過性及び透湿性を有する裏面シート３に用いられる素材としては例えば多孔性フィルムが挙げられる。多孔性フィルムは例えば、疎水性の熱可塑性樹脂と、フィラーとを溶融混練してフィルムを形成し、該フィルムを一軸又はニ軸延伸して得られる。熱可塑性樹脂としては、例えばポリオレフィンが挙げられる。ポリオレフィンとしては高〜低密度ポリエチレン、線状低密度ポリエチレン、ポリプロピレン、ポリブテン等が挙げられ、これらを単独又は混合して使用することができる。前記フィラーとしては、炭酸カルシウム等からなる微細な無機フィラー又は前記熱可塑性樹脂と相溶性のない有機高分子等が挙げられる。
【００４４】
裏面シート３の素材として坪量１０〜４０ｇ／ｍ２の多孔性フィルムを使用すると、可変模様１０の視覚的変化がおむつ外部から認識し易くなると共に、柔軟な感触が得られるので好ましい。
【００４５】
外装カバーシート７は、可変模様１０の視覚的変化が認識し易いように、所定の光透過率を有するものが好ましい。外装カバーシート７の光透過率は５０％以上、特に５５％以上、さらには６０％以上であることが好ましい。
【００４６】
可変模様１０がおむつ外部から透けて見えるように、外装カバーシート７としては前記光透過率が得られる坪量及び／又は厚さの不織布を用いることが好ましい。該不織布はその坪量が５〜４５ｇ／ｍ２、特に１０〜４０ｇ／ｍ２であることが、可変模様１０の視覚的変化の認識性と風合いや手触りなどの官能的な性能とを両立する点から好ましい。
【００４７】
外装カバーシート７に用いられる不織布としては、例えばポリエチレンやポリプロピレン等のポリオレフィン、ポリエチレンテレフタレート等のポリエステルからなる熱可塑性樹脂単独の繊維や、これらの樹脂の２種以上を用いてなる芯鞘型やサイドバイサイド型の構造を有する複合繊維から構成される不織布等が挙げられる。
【００４８】
外装カバーシート７に用いられる不織布としては、その地色の透明度が高く且つ白色度が高いものを用いることが、可変模様１０の視覚的変化の認識性が高まるので好ましい。但し外装カバーシート７は、おむつ厚み方向に関して、可変模様との重なり部分において、当該重なり部分の大部分が白色であれば良く、当該重なり部分以外の部位に、可変模様１０の視覚的変化の認識性を妨げない範囲で印刷を施しても構わない。
【００４９】
図３は、本発明の吸収性物品を使い捨ておむつに適用した他の実施形態を示すものである。図３において、図１及び図２に示すおむつ１と共通する部分については同一符号を付し、その説明は省略する。従って、特に説明のない点については、前記実施形態のおむつ１の説明が適宜適用される。
【００５０】
図３に示すおむつ１’は、吸収性コア４１が一枚の被覆材４２よって被覆されており、被覆材４２はその左右両端部が吸収性コア４１における裏面シート３との対向面側において所定幅で重なり合って二重になっている。そして二重に重なっている被覆材４２の外側に可変模様１０が配されている。このような構成を採用することによって、おむつ１の取り替え時期を知らせる視覚的な変化の認識性を高めることができる。
【００５１】
図３に示す実施形態のおむつにおける、視覚的な変化の認識性を高めるメカニズムは以下の（１）〜（３）ように考えられる。
【００５２】
（１）尿が変化剤の存在する場所に到達して変化剤が変色する。これと共に変化剤が尿中に溶出又は分散して、裏面シート３に面している第１層目（外側）の被覆材４２ｃ内に移行する。変化剤は、第１層目の被覆材４２ｃよりも吸収性コア４１側に存在する第２層目（内側）の被覆材４２ｄにも若干量移行しようとするが、下記（２）及び（３）により大部分は第１層目の被覆材４２ｃに定着するので、第２層目の被覆材４２ｄには殆ど移行しない。
【００５３】
（２）第２層目の被覆材４２ｄは、尿が裏面シート３まで移行して来る段階で既に濡れている。従ってそれ以上積極的に液を吸収しづらい状態になっている。このことも、変化剤が第２層目の被覆材４２ｄに殆ど移行しない一因と考えられる。
【００５４】
（３）第２層目の被覆材４２ｄが存在することで、変化剤と接している第１層目の被覆材４２ｃが直接吸収性コア４１と接することが妨げられている。これにより、変化剤が吸収性コア４１によって平面方向へ拡散されて可変模様１０の色が薄くなることが防がれる。
【００５５】
図３において互いに重なり合っている第１層目の被覆材４２ｃと第２層目の被覆材４２ｄとは、おむつ１の厚み方向に関して、変化剤が存在する領域との重なり部分の少なくとも一部において、疎水性の粘着剤（例えばホットメルト粘着剤）で互いに接着されていることが好ましい。これによって、第１層目の被覆材４２ｃにおいて尿がおむつ幅方向へ拡散することが防止され、それによって変化剤の拡散に起因する色のにじみが抑制される。
【００５６】
本発明の吸収性物品は、前述した実施形態に制限されず、本発明の趣旨を逸脱しない範囲で種々の変更が可能である。
【００５７】
例えば、前記実施形態では、変化剤として、水分との接触の前後で色が変化するものを用いたが、変化剤には、水分との接触で色が消失するもの、及び水分との接触で色が現れるものを用いることができる。
【００５８】
また、本発明の吸収性物品は、前記実施形態のおむつ１のように、可変模様及び不変模様を互いに直線状とし、それぞれを股下部で交差させて格子状に配することが好ましいが、一方又は両方を曲線状に配することもできる。
【００５９】
また、例えば、吸収性コアを覆う被覆材として薄葉紙に替えて不織布を用いることも可能である。また、前述した実施形態では、背側部Ａの左右両側縁にファスニングテープ８，８を設けたが、これに代えて背側部Ａの左右両側縁に、側方に延出する一対のウエストバンドをそれぞれ設けてもよい。そして、一方のウエストバンドの先端部にバンド止着部を設け、この止着部によって左右のウエストバンドを、着用者の腹側又は背側において止着するようにしてもよい。
【００６０】
また、本発明は、前記実施形態のおむつ１のように、不変模様１２を裏面シート３の面に直接配することが好ましいが、不変模様を印刷した別のシートを裏面シートと外装カバーシートとの間に配することもできる。
【００６１】
また前記実施形態では、本発明を展開型の使い捨ておむつに適用したが、本発明は他の吸収性物品、例えばパンツ型の使い捨ておむつ、生理用ナプキン、生理用ショーツ等にも同様に適用可能である。
【００６２】
【発明の効果】
本発明の吸収性物品は、排尿等による交換時期を知らせる視覚的な変化が外部から非常に認識し易いものである。
【図面の簡単な説明】
【図１】本発明の吸収性物品を使い捨ておむつに適用した一実施形態を、裏面シート側から見た状態で模式的に示す一部破断平面図である。
【図２】図１におけるＸ−Ｘ線断面図である。
【図３】本発明の吸収性物品を使い捨ておむつに適用した他の実施形態を模式的に示す断面図（図２相当図）である。
【符号の説明】
１、１’  使い捨ておむつ（吸収性物品）
２  表面シート
３  裏面シート
４  吸収体
４１  吸収性コア
４２  被覆材
４２ａ  第１の被覆材
４２ｂ  第２の被覆材
５  ウエスト部
６  レッグ部
７  外装カバーシート
８  ファスニングテープ
９  ランディングテープ
１０  可変模様（変化剤）
１２  不変模様
Ａ  背側部
Ｂ  股下部
Ｃ  腹側部
【図１】
2005021389.tif 000003
【図２】
2005021389.tif 000004
【図３】
2005021389.tif 000005